(57)【特許請求の範囲】
【請求項１】
ハンドル及び右方に開口する第一空き空間を含み、前記第一空き空間が前記ハンドルに位置し、前記第一空き空間の前後内壁の間には回転軸が回転可能に設置され、前記回転軸と前記第一空き空間の後内壁とが捻りばねによって連結され、前記回転軸にはリールが固定され、前記リールにはスマホに接続できる電線が巻かれており、前記第一空き空間の上内壁には前記回転軸の右側に位置する固定ブロックが固定され、円形連通穴が前記固定ブロックを左右から貫通しており、前記電線が前記円形連通穴を通って前記ハンドルの右側に延在しており、前記電線の他端には円形板が固定され、前記円形板の右面には異なるタイプのスマホに差し込めるプラグが固定され、前記円形板の左面には第一磁石が固定され、前記ハンドルの右面には前記第一磁石の左側に位置する第二磁石が固定され、前記第二磁石と前記第一磁石とが反発しており、前記ハンドルの右面には上方から下方へ順に第一ボタン、第二ボタン及び第三ボタンが固定され、前記第一ボタン、前記第二ボタン及び前記第三ボタンが前記第一空き空間の下側に位置し、前記ハンドルの上面には伸縮箱が固定され、前記伸縮箱には矩形伸縮空間が固定され、前記伸縮箱には前記矩形伸縮空間の上側に位置する上下貫通の円形伸縮空間が固定され、前記矩形伸縮空間には本願発明の伸縮長さを調整できる伸縮装置が固定され、前記円形伸縮空間には前記伸縮装置に連結される固定板が固定され、前記固定板の右面には挟持箱が固定され、前記挟持箱にはスマホを挟持できる挟持装置が設置され、前記固定板の上面には支持棒が固定され、前記支持棒の上面には光補充箱が固定され、前記光補充箱には下方に開口する光補充空間が固定され、前記光補充箱には前記光補充空間の前側に位置する旋転モータが固定され、前記旋転モータの後面には前記光補充空間に位置するモータ軸が回転可能に設置され、前記モータ軸の後面には光を補充できる光補充板が固定されていることを特徴とする長さの調整と光補充ができるスマホ用スタンド。
【請求項２】
前記伸縮装置は前記伸縮箱に位置する伸縮モータを含み、前記伸縮モータの上面には前記矩形伸縮空間に位置するスクリューが回転可能に設置され、前記スクリューの外壁にはネジスリーブがネジ山を介して連結され、前記ネジスリーブの外壁には前記矩形伸縮空間の円周方向の内壁と当接する矩形位置制限板が固定され、前記矩形位置制限板が上方へ前記円形伸縮空間の下側にスライドしたら、前記円形伸縮空間によって制限されて引き続き上方へスライドすることができなくなり、前記ネジスリーブの脱落を防止し、前記ネジスリーブの上面と前記固定板の下面とが固定的に連結されていることを特徴とする請求項１に記載の長さの調整と光補充ができるスマホ用スタンド。
【請求項３】
前記挟持装置は、前記挟持箱に位置し且つ下方に開口する挟持空間を含み、前記挟持箱には前記挟持空間の前側に位置し且つ前記挟持空間と連通する第二空き空間が固定され、前記第二空き空間が前後対称になるように設置され、前記第二空き空間には前記挟持空間に位置する挟持板がスライド可能に設置され、前記挟持板と前記第二空き空間とが圧縮ばねによって連結され、前記挟持箱には前記挟持空間の上側に位置し且つ上方に開口する第三空き空間が固定され、前記第三空き空間には引きリングがスライド可能に設置され、前記引きリングの下面と前記第三空き空間の下内壁とが引っ張りばねによって連結され、前記引きリングと前記挟持板とが引き紐によって連結され、前記引きリングを引くことでスマホを前記挟持板同士の対向面の間に挟み、前記挟持板によりスマホを挟持できることを特徴とする請求項１に記載の長さの調整と光補充ができるスマホ用スタンド。
【請求項４】
前記第一ボタンと前記伸縮モータとが通電可能に接続され、前記第一ボタンを押すと、前記伸縮モータが作動して前記固定板を昇降させることを特徴とする請求項２に記載の長さの調整と光補充ができるスマホ用スタンド。
【請求項５】
前記第二ボタンと前記旋転モータとが通電可能に接続され、前記第二ボタンを押すと、前記旋転モータが作動して前記光補充板の光補充角度を調整することを特徴とする請求項１に記載の長さの調整と光補充ができるスマホ用スタンド。
【請求項６】
前記第三ボタンと前記電線とが通電可能に接続され、対応する前記プラグをスマホの差込口に差し込むと、前記第三ボタンを押せば写真を取れることを特徴とする請求項１に記載の長さの調整と光補充ができるスマホ用スタンド。
【発明の詳細な説明】
【技術分野】
【０００１】
本願発明はスマホアクセサリー技術分野を取り上げて、具体的には長さの調整と光補充ができるスマホ用スタンドである。
【背景技術】
【０００２】
自撮り棒とは、カメラやカメラを内蔵したスマートフォンに取付けて、自分撮り（自撮り）を行うための長さ１  ｍほどの棒状の器具である。複数の人が一緒に写真を取る場合に適している。従来の自撮り棒は、一定の長さを調整できるが、手動で行う必要があるため、操作が煩雑であり、また室外で写真を取る時に、時に光線不足が問題となる。よって、長さの調整と光補充ができるスマホ用スタンドが必要となる。上記の欠点に対し、本願発明は改善を行った。
【先行技術文献】
【特許文献】
【０００３】
【特許文献１】中国特許出願公開第１０２８７８４０１号明細書
【発明の概要】
【発明が解決しようとする課題】
【０００４】
本願は長さの調整と光補充ができるスマホ用スタンドを提供し、従来技術における上記欠点を解消することを目的とする。
【課題を解決するための手段】
【０００５】
本願発明は以下の技術プランを通じて実現する。
【０００６】
本願に記載の長さの調整と光補充ができるスマホ用スタンドは、ハンドル及び右方に開口する第一空き空間を含み、前記第一空き空間が前記ハンドルに位置し、前記第一空き空間の前後内壁の間には回転軸が回転可能に設置され、前記回転軸と前記第一空き空間の後内壁とが捻りばねによって連結され、前記回転軸にはリールが固定され、前記リールにはスマホに接続できる電線が巻かれており、前記第一空き空間の上内壁には前記回転軸の右側に位置する固定ブロックが固定され、円形連通穴が前記固定ブロックを左右から貫通しており、前記電線が前記円形連通穴を通って前記ハンドルの右側に延在しており、前記電線の他端には円形板が固定され、前記円形板の右面には異なるタイプのスマホに差し込めるプラグが固定され、前記円形板の左面には第一磁石が固定され、前記ハンドルの右面には前記第一磁石の左側に位置する第二磁石が固定され、前記第二磁石と前記第一磁石とが反発しており、前記ハンドルの右面には上方から下方へ順に第一ボタン、第二ボタン及び第三ボタンが固定され、前記第一ボタン、前記第二ボタン及び前記第三ボタンが前記第一空き空間の下側に位置し、前記ハンドルの上面には伸縮箱が固定され、前記伸縮箱には矩形伸縮空間が固定され、前記伸縮箱には前記矩形伸縮空間の上側に位置する上下貫通の円形伸縮空間が固定され、前記矩形伸縮空間には本願発明の伸縮長さを調整できる伸縮装置が固定され、前記円形伸縮空間には前記伸縮装置に連結される固定板が固定され、前記固定板の右面には挟持箱が固定され、前記挟持箱にはスマホを挟持できる挟持装置が設置され、前記固定板の上面には支持棒が固定され、前記支持棒の上面には光補充箱が固定され、前記光補充箱には下方に開口する光補充空間が固定され、前記光補充箱には前記光補充空間の前側に位置する旋転モータが固定され、前記旋転モータの後面には前記光補充空間に位置するモータ軸が回転可能に設置され、前記モータ軸の後面には光を補充できる光補充板が固定されている。
【０００７】
さらに、前記伸縮装置は前記伸縮箱に位置する伸縮モータを含み、前記伸縮モータの上面には前記矩形伸縮空間に位置するスクリューが回転可能に設置され、前記スクリューの外壁にはネジスリーブがネジ山を介して連結され、前記ネジスリーブの外壁には前記矩形伸縮空間の円周方向の内壁と当接する矩形位置制限板が固定され、前記矩形位置制限板が上方へ前記円形伸縮空間の下側にスライドしたら、前記円形伸縮空間によって制限されて引き続き上方へスライドすることができなくなり、前記ネジスリーブの脱落を防止し、前記ネジスリーブの上面と前記固定板の下面とが固定的に連結されている。        
【０００８】
さらに、前記挟持装置は、前記挟持箱に位置し且つ下方に開口する挟持空間を含み、前記挟持箱には前記挟持空間の前側に位置し且つ前記挟持空間と連通する第二空き空間が固定され、前記第二空き空間が前後対称になるように設置され、前記第二空き空間には前記挟持空間に位置する挟持板がスライド可能に設置され、前記挟持板と前記第二空き空間とが圧縮ばねによって連結され、前記挟持箱には前記挟持空間の上側に位置し且つ上方に開口する第三空き空間が固定され、前記第三空き空間には引きリングがスライド可能に設置され、前記引きリングの下面と前記第三空き空間の下内壁とが引っ張りばねによって連結され、前記引きリングと前記挟持板とが引き紐によって連結され、前記引きリングを引くことでスマホを前記挟持板同士の対向面の間に挟み、前記挟持板によりスマホを挟持できる。
【０００９】
さらに、前記第一ボタンと前記伸縮モータとが通電可能に接続され、前記第一ボタンを押すと、前記伸縮モータが作動して前記固定板を昇降させる。
【００１０】
さらに、前記第二ボタンと前記旋転モータとが通電可能に接続され、前記第二ボタンを押すと、前記旋転モータが作動して前記光補充板の光補充角度を調整する。
【００１１】
さらに、前記第三ボタンと前記電線とが通電可能に接続され、対応する前記プラグをスマホの差込口に差し込むと、前記第三ボタンを押せば写真を取れる。
【発明の効果】
【００１２】
本願発明は、長さを調整できる自撮り棒であり、撮影距離を応じて伸縮装置により長さを調整し、光補充ライトの角度を調整することで、室外の照明具合に応じて最適な光補充を行い、また、異なるタイプのプラグを備えるため、適用範囲が幅広く、コスパが良い。
【図面の簡単な説明】
【００１３】
下記に図１〜６をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１４】
【図１】図１は本願発明の全体構成模式図
【図２】図２は図１におけるＡ―Ａ部の構成模式図
【図３】図３は図１におけるＢ―Ｂ部の構成模式図
【図４】図４は図１におけるＣ部の構成模式図
【図５】図５は図１におけるＤ―Ｄ部の構成模式図
【図６】図６は図４におけるＥ―Ｅ部の構成模式図
【発明を実施するための形態】
【００１５】
図１〜６を参照し、本願に記載の長さの調整と光補充ができるスマホ用スタンドは、ハンドル１０及び右方に開口する第一空き空間１１を含み、前記第一空き空間１１が前記ハンドル１０に位置し、前記第一空き空間１１の前後内壁の間には回転軸３６が回転可能に設置され、前記回転軸３６と前記第一空き空間１１の後内壁とが捻りばね３８によって連結され、前記回転軸３６にはリール１２が固定され、前記リール１２にはスマホに接続できる電線３７が巻かれており、前記第一空き空間１１の上内壁には前記回転軸３６の右側に位置する固定ブロック３９が固定され、円形連通穴４０が前記固定ブロック３９を左右から貫通しており、前記電線３７が前記円形連通穴４０を通って前記ハンドル１０の右側に延在しており、前記電線３７の他端には円形板４１が固定され、前記円形板４１の右面には異なるタイプのスマホに差し込めるプラグ４２が固定され、前記円形板４１の左面には第一磁石４３が固定され、前記ハンドル１０の右面には前記第一磁石４３の左側に位置する第二磁石４４が固定され、前記第二磁石４４と前記第一磁石４３とが反発しており、前記ハンドル１０の右面には上方から下方へ順に第一ボタン２７、第二ボタン２８及び第三ボタン２９が固定され、前記第一ボタン２７、前記第二ボタン２８及び前記第三ボタン２９が前記第一空き空間１１の下側に位置し、前記ハンドル１０の上面には伸縮箱１３が固定され、前記伸縮箱１３には矩形伸縮空間１４が固定され、前記伸縮箱１３には前記矩形伸縮空間１４の上側に位置する上下貫通の円形伸縮空間１６が固定され、前記矩形伸縮空間１４には本願発明の伸縮長さを調整できる伸縮装置５６が固定され、前記円形伸縮空間１６には前記伸縮装置５６に連結される固定板１７が固定され、前記固定板１７の右面には挟持箱１８が固定され、前記挟持箱１８にはスマホを挟持できる挟持装置５７が設置され、前記固定板１７の上面には支持棒４５が固定され、前記支持棒４５の上面には光補充箱１９が固定され、前記光補充箱１９には下方に開口する光補充空間２０が固定され、前記光補充箱１９には前記光補充空間２０の前側に位置する旋転モータ４７が固定され、前記旋転モータ４７の後面には前記光補充空間２０に位置するモータ軸４６が回転可能に設置され、前記モータ軸４６の後面には光を補充できる光補充板２１が固定されている。
【００１６】
有利なことに、前記伸縮装置５６は前記伸縮箱１３に位置する伸縮モータ２６を含み、前記伸縮モータ２６の上面には前記矩形伸縮空間１４に位置するスクリュー２５が回転可能に設置され、前記スクリュー２５の外壁にはネジスリーブ２４がネジ山を介して連結され、前記ネジスリーブ２４の外壁には前記矩形伸縮空間１４の円周方向の内壁と当接する矩形位置制限板１５が固定され、前記矩形位置制限板１５が上方へ前記円形伸縮空間１６の下側にスライドしたら、前記円形伸縮空間１６によって制限されて引き続き上方へスライドすることができなくなり、前記ネジスリーブ２４の脱落を防止し、前記ネジスリーブ２４の上面と前記固定板１７の下面とが固定的に連結されている。        
【００１７】
有利なことに、前記挟持装置５７は、前記挟持箱１８に位置し且つ下方に開口する挟持空間２２を含み、前記挟持箱１８には前記挟持空間２２の前側に位置し且つ前記挟持空間２２と連通する第二空き空間３０が固定され、前記第二空き空間３０が前後対称になるように設置され、前記第二空き空間３０には前記挟持空間２２に位置する挟持板２３がスライド可能に設置され、前記挟持板２３と前記第二空き空間３０とが圧縮ばね３２によって連結され、前記挟持箱１８には前記挟持空間２２の上側に位置し且つ上方に開口する第三空き空間３３が固定され、前記第三空き空間３３には引きリング３５がスライド可能に設置され、前記引きリング３５の下面と前記第三空き空間３３の下内壁とが引っ張りばね３４によって連結され、前記引きリング３５と前記挟持板２３とが引き紐３１によって連結され、前記引きリング３５を引くことでスマホを前記挟持板２３同士の対向面の間に挟み、前記挟持板２３によりスマホを挟持できる。
【００１８】
有利なことに、前記第一ボタン２７と前記伸縮モータ２６とが通電可能に接続され、前記第一ボタン２７を押すと、前記伸縮モータ２６が作動して前記固定板１７を昇降させる。
【００１９】
有利なことに、前記第二ボタン２８と前記旋転モータ４７とが通電可能に接続され、前記第二ボタン２８を押すと、前記旋転モータ４７が作動して前記光補充板２１の光補充角度を調整する。
【００２０】
有利なことに、前記第三ボタン２９と前記電線３７とが通電可能に接続され、対応する前記プラグ４２をスマホの差込口に差し込むと、前記第三ボタン２９を押せば写真を取れる。
【００２１】
本願発明の作動手順は以下の通りである。
【００２２】
初期状態において、第二磁石４４と第一磁石４３とが吸引しており、円形板４１がハンドル１０の右面に固定され、引っ張りばね３４が引き締まり、引き紐３１が引き締まり、圧縮ばね３２が自然状態にあり、挟持板２３が挟持空間２２に位置しており、
１、 本願発明を使用して自撮りをするには、上方へ引きリング３５を引くことで、引っ張りばね３４が引っ張られ、引き紐３１を引き締め、引き紐３１の引き締まりにより挟持板２３同士が離れるようにスライドし、挟持板２３の間隔が大きくなり、スマホを挟持板２３同士の対向面の間に入れ、引きリング３５を放して引っ張りばね３４を復帰させ、そして引き紐３１が連動して緩み、圧縮ばね３２を復帰させることで、挟持板２３が対向にスライドしてスマホを挟持し、
２、 スマホを挟持した後、右方へ円形板４１を引くことで、第一磁石４３と第二磁石４４とが離れ、スマホと対応するプラグ４２をスマホの差込口に差し込み、ここでスマホと自撮り棒とが接続され、
３、 接続が終わったら、第一ボタン２７を押すことで、伸縮モータ２６が作動して正回転し、そしてスクリュー２５が連動して回転し、矩形位置制限板１５によりネジスリーブ２４を上方へスライドさせ、固定板１７がネジスリーブ２４につれ上方へスライドし、適した位置に到着したら、再び第一ボタン２７を押すことで、伸縮モータ２６の作動を止め、
４、 光線不足の時、光を補充するには、第二ボタン２８を押すことで、旋転モータ４７が作動して回転し、モータ軸４６を回転させ、モータ軸４６の回転により光補充板２１が回転し、適した角度に至ると、再び第二ボタン２８を押すことで、旋転モータ４７の作動を止め、光補充板２１が作動して光を補充し、
５、 利用者が第三ボタン２９を押して自撮りをし、
６、 自撮りが完成したら、第二ボタン２８を押すことで、旋転モータ４７が作動して逆回転し、光補充板２１を初期状態に戻し、ここで光補充板２１が光を補充しなくなり、
７、 第一ボタン２７を押すことで、伸縮モータ２６が作動して逆回転し、ネジスリーブ２４を初期位置に降下させ、スマホを取り出せば本願発明の復帰を完了とする。
【００２３】
以上の方式により、当該分野の従業員は本願発明の範囲内で作業状況に応じて様々な改変を加えることができる。
【要約】
【課題】本願は長さの調整と光補充ができるスマホ用スタンドを開示した。
【解決手段】
本願に記載の長さの調整と光補充ができるスマホ用スタンドは、ハンドル及び右方に開口する第一空き空間を含み、前記第一空き空間が前記ハンドルに位置し、前記第一空き空間の前後内壁の間には回転軸が回転可能に設置され、前記回転軸と前記第一空き空間の後内壁とが捻りばねによって連結され、前記回転軸にはリールが固定され、本願発明は、長さを調整できる自撮り棒であり、撮影距離を応じて伸縮装置により長さを調整し、光補充ライトの角度を調整することで、室外の照明具合に応じて最適な光補充を行い、また、異なるタイプのプラグを備えるため、適用範囲が幅広く、コスパが良い。
【選択図】図１【図１】
0006802446.tif 000002
【図２】
0006802446.tif 000003
【図３】
0006802446.tif 000004
【図４】
0006802446.tif 000005
【図５】
0006802446.tif 000006
【図６】
0006802446.tif 000007